(57)【要約】【課題】光ディスクの記録マークを記録するときに、安定なレーザパワーの制御を実現するレーザパワー制御装置を提供する。【解決手段】本発明のレーザパワー制御装置は、１つのマルチパルス発光区間において、マーク部のレーザパワーをマーク部パワー検出信号処理手段９で複数回検出して、検出したレーザパワーの平均値を目標とするレーザパワーになるように演算手段１１でレーザパワーを制御するように構成することにより、安定したレーザパワーの制御を実現する。【選択図】図１
2007052866.tif 000002
【特許請求の範囲】
【請求項１】
マーク部及びスペース部を含む記録データ列を生成する記録データ生成手段と、
前記生成された記録データからレーザ発光パルス列を生成する発光パターン生成手段と、
駆動電流を演算する演算手段と、
前記生成されたレーザ発光パルス列と前記演算された駆動電流に応じた記録パルス列を出力するレーザ駆動手段と、
前記記録パルス列に応じた発光パルス列を出力するピックアップヘッドと、
前記ピックアップヘッドから出力される発光パルス列のレーザパワーを検出するレーザパワー検出手段と、
前記生成された記録データ列の前記マーク部を抽出するマーク部弁別手段と、
１つのマーク部内で複数回サンプリングするための複数のタイミング信号を生成するタイミング生成手段と、
前記抽出されたマーク部の中から所定の長さのマーク部を検出し、前記タイミング生成手段が生成するタイミング信号受ける毎に、検出タイミング信号を出力するマーク部検出設定手段と、
前記レーザパワー検出手段が検出したレーザパワーを、前記マーク部検出設定手段が出力する検出タイミング信号に基づいてサンプリングし、マーク部パワー検出信号として前記演算手段に出力するマーク部パワー検出信号処理手段とを備え、
前記演算手段は、前記マーク部パワー検出信号処理手段から出力された複数のマーク部パワー検出信号の平均値をマーク部のレーザパワーの推定値とし、前記推定値を目標のレーザパワーになるように駆動電流を演算するレーザパワー制御装置。
【請求項２】
前記タイミング生成手段は、１つのスペース部で複数回サンプリングするための複数のタイミング信号を生成し、
前記記録データ生成手段によって生成された記録データ列のスペース部を抽出するスペース部弁別手段と、
前記抽出されたスペース部の中から所定の長さのスペース部を検出し、前記タイミング生成手段が生成するタイミング信号を受け取るごとに、検出タイミング信号を出力するスペース部検出設定手段と、
前記レーザパワー検出手段が検出したレーザパワーを、前記スペース部検出設定手段が出力する検出タイミング信号に基づいてサンプリングし、スペース部パワー検出信号として演算手段に出力するスペース部検出信号設定手段とを備え、
前記演算手段は、前記スペース部パワー検出信号処理手段から出力された複数のスペース部パワー検出信号の平均値をスペース部のレーザパワーの推定値とし、前記推定値を目標のレーザパワーになるように駆動電流を演算する請求項１記載のレーザパワー制御装置。
【請求項３】
前記タイミング生成手段は、前記ピックアップヘッドが読み取った記録クロックと同期したタイミング信号を生成する請求項１または請求項２に記載のレーザパワー制御装置。
【発明の詳細な説明】
【技術分野】
【０００１】
本発明は、光ディスクに記録マークを形成する際に用いられるレーザパワー制御に関するものである。
【背景技術】
【０００２】
従来、光ディスクに再生互換が保たれるような品質の記録マークを形成するためには、記録しようとする光ディスクに適合したライトストラテジと、記録パワーが重要である。
【０００３】
近年光ディスクは、記録媒体の高倍速化が進み、ＤＶＤ−ＲやＲＷなどのライトストラテジにみられるように、マルチパルスで記録するパルス列を含んだ記録発光での記録パワーを制御するために、まずスペースパワーを検出し、そして、直接マルチパルスで発光するピークパワーを読み取ることができないため、マルチパルス発光区間において、レーザパワーを１つ検出し、各マルチパルス発光区間の平均値を検出することにより、ピークパワーを推定して制御を実施することが多い。
【特許文献１】特開２００４−３１９０７３号公報
【発明の開示】
【発明が解決しようとする課題】
【０００４】
しかしながら、メディアの種類が増え、高倍速から低倍速をサポートするディスクに対する最適な記録マークを形成するためのライトストラテジは多種多様であり、マルチパルスの幅は、同一倍速であっても、メディアメーカが異なると異なる幅で記録する必要があり、安定にレーザパワーを制御することが難しく、そのためにＬＰＦの次数や、帯域制限周波数の設定数を多く持つ必要があり検出回路の規模が大きくなり、高価になってしまう。
【０００５】
本発明は、上記課題を解決するために、レーザパワーの検出値を得て、より安定したレーザパワーの制御するためのレーザパワー制御装置を提供するものである。
【課題を解決するための手段】
【０００６】
上記従来の課題を解決するために、本発明のレーザパワー制御装置は、マルチパルスを含む記録データ列を生成する記録データ生成手段と、前記生成された記録データからレーザ発光パルス列を生成する発光パターン生成手段と、駆動電流を演算する演算手段と、
前記生成されたレーザ発光パルス列と前記演算された駆動電流に応じた記録パルス列を出力するレーザ駆動手段と、前記記録パルス列に応じた発光パルス列を出力するピックアップヘッドと、前記ピックアップヘッドから出力される発光パルス列のレーザパワーを検出するレーザパワー検出手段と、前記生成された記録データ列のマーク部を抽出するマーク部弁別手段と、１つのマーク部内で複数回サンプリングするための複数のタイミング信号を生成するタイミング生成手段と、前記抽出されたマーク部の中から所定の長さのマーク部を検出し、前記タイミング生成手段が生成するタイミング信号受ける毎に、検出タイミング信号を出力するマーク部検出設定手段と、前記レーザパワー検出手段が検出したレーザパワーを、前記マーク部検出設定手段が出力する検出タイミング信号に基づいてサンプリングし、マーク部パワー検出信号として演算手段に出力するマーク部パワー検出信号処理手段とを備え、前記演算手段は、前記マーク部パワー検出信号処理手段から出力された複数のマーク部パワー検出信号の平均値をマーク部のレーザパワーの推定値とし、前記推定値を目標のレーザパワーになるように駆動電流を演算するように構成されている。
【０００７】
本構成によって、本願発明のレーザパワー制御装置は、従来よりも正確にマルチパルスにおけるレーザパワーを推定することができる。
【発明の効果】
【０００８】
本発明のレーザパワー装置によれば、正確なレーザパワーの推定を行うことで、安定したレーザパワーの制御を行うことができる。
【発明を実施するための最良の形態】
【０００９】
以下本発明を実施するための最良の形態について、図面を参照しながら説明する。
【００１０】
（実施の形態１）
図１は、本発明の実施の形態１におけるレーザパワー制御装置のブロック図である。図１において、本発明の実施の形態１のレーザパワー制御装置は、レーザパワー検出手段１と、記録データ生成手段２と、スペース部弁別手段３と、スペース部検出設定手段４と、スペース部パワー検出信号処理手段５と、マーク部弁別手段６と、タイミング生成手段７と、マーク部検出設定手段８と、マーク部パワー検出信号処理手段９と、切換手段１０と、演算手段１１と、発光パターン生成手段１２と、レーザ駆動手段１３と、ピックアップヘッド１４とから構成され、図示しない制御手段により制御されているものとする。
【００１１】
以下、レーザパワー制御装置の各構成及び動作について説明する。まず、レーザパワー検出手段１は、光ディスク（図示せず）にマーク部とスペース部を形成するために生成された記録パルス列に応じた発光パルス列の一部を検出して、ピンフォトダイオードや、ＯＥＩＣ（光電子集積回路）によって検出信号を生成し、出力する。
【００１２】
記録データ生成手段２は、ユーザデータなどのデータを光ディスクに記録するデータ列たとえば、１−７変調、２−７変調や、８−１６変調等の変調則にしたがってＮＲＺＩや、ＮＲＺ等の記録データ列を出力するエンコーダ回路から構成される。
【００１３】
スペース部弁別手段３は、記録データ生成手段２から出力された記録データ列のマーク部とスペース部の出力信号のうちスペース部分を抽出し、スペース部検出設定手段４は、スペース部弁別手段３から出力された記録データ列であるスペース部の記録データ長のうち、特定の長さのスペース部を検出したタイミングで、特定の長さのスペース部を検出したことを示す検出タイミング信号を出力する。そして、スペース部パワー検出信号処理手段５は、レーザパワー検出手段１から出力される検出信号のうちスペース部の値を、スペース部検出設定手段４から出力される検出タイミング信号に従ってデータを保持するサンプルホールド回路（Ｓ／Ｈ回路）等から構成され、検出タイミング信号により検出した信号をスペース部パワー検出信号として切換手段１０に出力する。
【００１４】
マーク部弁別手段６は、記録データ生成手段２から出力された記録データ列のマーク部とスペース部の出力信号のうちマーク部分を抽出し、タイミング生成手段７は、後述するマーク部パワー検出信号処理手段９がマーク部を検出してサンプルホールドを行うためのサンプルタイミングを生成し、このサンプルホールドを行うサンプルタイミングを任意に設定できる。また、タイミング生成手段７は、サンプルタイミングを生成するとき、一定の周期で複数のサンプルタイミングを生成し、本実施の形態においては、４つのサンプルタイミングを生成するものとしている。この４つのサンプルタイミングは１つのマルチパルス区間内でサンプリングするためのサンプルタイミングである。
【００１５】
マーク部検出設定手段８は、マーク部弁別手段６から出力された記録データ列であるマーク部分の記録データ長（マーク幅）のうち、所定のマーク幅のマーク部を検出し、タイミング生成手段７で生成されるサンプルタイミングにしたがって、マーク部パワー検出信号処理手段９でサンプルホールドする検出タイミング信号を出力する。本実施の形態では、マーク幅が１１Ｔ（ここで、Ｔは１チャンネルビットクロック周期を表す）のマーク部を検出するものとする。
【００１６】
マーク部パワー検出信号処理手段９は、レーザパワー検出手段１から出力される検出信号のうちマーク部の値を帯域制限フィルタ等により検出信号の特徴を抽出し、抽出した信号を保持するサンプルホールド回路等から実現され、検出した信号をマーク部検出設定手段８により出力される検出タイミング信号に従ってサンプルホールドを行い、マーク部パワー検出信号として切換手段１０に出力する。本実施の形態においては、マーク部パワー検出信号処理手段９は、マーク部検出設定手段８から検出タイミング信号が４回入力されるので、検出した信号のサンプルホールドを４回行う。
【００１７】
切換手段１０は、制御手段の制御によって、スペース部パワー検出信号処理手段５から出力されるスペース部パワー検出信号および、マーク部パワー検出信号処理手段９から出力されるマーク部パワー検出信号を切り替えて出力する。そして、演算手段１１は、制御手段の制御によって、切換手段１０から出力されるスペース部パワー検出信号およびマーク部パワー検出信号に基づいて、ピックアップヘッド１４から出力される記録パルスの記録パワーをスペース部の目標の記録パワーとマーク部の目標の記録パワーに制御するために、レーザに出力する駆動電流を演算してレーザ駆動電流を出力あるいは算出する、ＤＳＰや、オペアンプ等のアナログ回路で実現される。また、この目標の記録パワーは、レーザパワー制御装置内にあるレジスタやメモリなどの図示しない記憶手段によって保持されている。
【００１８】
発光パターン生成手段１２は、記録データ生成手段２から出力される記録データ列を、光ディスク上に形成するために記録マーク部およびスペース部をレーザ発光パルス列に変換して出力する。そして、レーザ駆動手段１３は、演算手段１１により出力されるレーザ駆動電流に応じて、発光パターン生成手段１２から出力される記録マークおよびスペース部のレーザ発光パルス列を、レーザダイオードに出力するための記録パルス列に変換し出力する。ピックアップヘッド１４は、レーザダイオードにレーザ駆動手段１３から出力される記録パルス列を出力し、記録パルス列に応じた発光パルスを光ディスクに照射し、光ディスクに照射して戻ってきた検出信号から再生信号および、記録クロック信号を生成する。
【００１９】
図２は、本発明の実施の形態１における各部の検出波形図である。同図（ａ）は、記録データ生成手段２から出力されるＮＲＺにより出力される記録データ列である。（ｂ）は、（ａ）の記録データ列に基づいて発光パターン生成手段１２によりレーザ発光パルス列に変換され、レーザ駆動手段１３によりピックアップヘッド１４のレーザに出力された発光パルス列をあらわしている。（ｃ）は、（ｂ）の発光パルス列に基づいてピックアップヘッド１４から出力される記録パルスをレーザパワー検出手段１が検出し、検出した検出信号をマーク部パワー検出手段９で帯域制限して得られる信号の波形を示している。そして、（ｄ）は、マーク部検出設定手段８より出力され、マーク部パワー検出信号処理手段９がサンプルホールドするための、検出タイミング信号を示し、（ｄ−１）、（ｄ−２）、（ｄ−３）、（ｄ−４）は、一定間隔で検出タイミング信号が出力されていることを示した図である。また、図３は、図２（ｃ）の信号の拡大図である。
【００２０】
ここで、本発明の実施の形態１のレーザパワー制御装置の構成及び動作を、より詳しく説明する。記録パルス列は、図２の（ｂ）のように、記録膜にマークを形成するために、熱の付与の関係からマルチパルスと呼ばれる記録パルス列が出力される。記録パルス列のマルチパルス列の幅は、記録メディアと記録倍速により異なり、実施の形態１の場合は２倍速のマルチパルス列の幅がデューティ５０％になる波形を出力している。
【００２１】
記録パルス列のスペース部は、ＤＣレベルであるので検出が比較的容易であるが、マーク部の記録パワーを検出するのは、マルチパルス列であるため難しい。例えば、実施の形態１の場合は、マルチパルスの幅が約９ｎｓ程度である。そこで、レーザパワー検出手段１から得られた検出信号に帯域制限を実施した信号（図２（ｃ）参照）を基に、マーク部検出設定手段８の検出タイミングで得られたマーク部パワー検出信号と、スペース部パワー検出信号処理手段５により得られたスペース部パワー検出信号から、ピックアップヘッド１４から出力されるマルチパルスの記録パワーを演算手段１１により推定し、目標の記録パワーになるように、制御演算を実施する。
【００２２】
そして、本発明の実施の形態１では、タイミング生成手段７によって、検出するタイミングを移動させる等間隔で４つのサンプルタイミングをマーク部検出設定手段８に生成して送信し、図２（ｄ）に示すようにマーク部検出設定手段８が（ｄ−１）、（ｄ−２）、（ｄ−３）、（ｄ−４）の等間隔の４つの検出タイミング信号をマーク部パワー検出信号処理手段９に送り、マーク部パワー検出信号処理手段９が検出タイミング信号によって検出した帯域制限検出信号である４つのマーク部パワー検出信号を演算手段１１に送信する。そして、演算手段１１が、受け取った４つのマーク部パワー検出信号の平均値を取り、その平均値を、ピックアップヘッドから出力される記録パルスのマーク部での記録パワーの推定値とし、演算手段１１により、記録パワーの推定値を目標の記録パワーに近づくように、レーザ駆動手段１３の動作させるレーザ駆動電流を制御している。なお、ここでは演算手段１１が記録パワーの平均値を求めているが、マーク部パワー検出信号処理手段９が記録パワーの平均値を求めて、演算手段１１に平均値を送るようにしても良い。
【００２３】
また、図３に示すように、マーク部のパワーを検出し始めるタイミングを、検出される記録パワーの後ろ側の安定したところになるように設定しているので、演算手段１１によって推定される記録パワーの信頼性が高くなる。この検出し始めるタイミングは、図示していないレジスタやメモリなどの記憶手段により保持されており、任意に設定することが可能である。
【００２４】
また、記録中のマーク部の記録パワーの帯域の制御を、マーク部検出設定手段８が検出タイミング信号を出力する周波数以下で行い、マーク部パワー検出信号から得た推定値の記録パワーをもとに、目標とする記録パワーになるよう、演算手段１１からレーザ駆動手段１３に対してレーザ駆動電流を設定する。
【００２５】
具体的に、本発明の実施の形態１では、ＤＶＤ−Ｒの記録の制御で検出するマーク長は１１Ｔにしており、１１Ｔのマーク長のマークが検出されるタイミングはランダムであるが、マーク長に情報の重み付けがなされているため、出現確率から制御帯域を決定する。そして、各マーク長の出現確率は、ＤＶＤディスクを実測したところ、おおよそ３Ｔが８．９％、４Ｔが２２．３％、５Ｔが２５．３％、６Ｔが２０．４％、７Ｔが９．７％、８Ｔが５．３％、９Ｔが４．１％、１０Ｔが２．６％、１１Ｔが１．１％、１４Ｔが０．４％であり、マーク部検出設定手段８が検出する１１Ｔのマーク長のマークの出現確率は約１．１％の確率であった。この確率は、３Ｔから１４Ｔまでのマークうち１１Ｔのマークが現れる確率が１．１％ということであり、９１マーク出現した後に１回１１Ｔのマークが出現する。
【００２６】
そして、１１Ｔの長さのマークは、９１×（３Ｔ×８．９％＋４Ｔ×２２．３％＋５Ｔ×２５．３％＋６Ｔ×２０．４％＋７Ｔ×９．７％＋８Ｔ×５．３％＋９Ｔ×４．１％＋１０Ｔ×２．６％＋１４Ｔ×０．４％）＝４９３Ｔに１回出現することになる。また、１Ｔあたりの時間は、２倍速で約１９ｎｓであるので、時間にして、４９３Ｔ×１９［ｎＳ］＝９．４［μＳ］に１回１１Ｔのマークが出現する。ただし、１１Ｔは、マークとスペースがあるため、その出現生確率は５０％と考えると、マークが現れるタイミングは、９．４［μｓ］×２＝１８．８［μｓ］となる。出現する１１Ｔのうち検出タイミング１８．８［μｓ］でひとつの検出値が取れると考えると、検出値を４つ求めることになるので、１８．８［μｓ］×４＝７５．２［μｓ］となるので、記録パワーの制御は、ナイキストの定理より１／（７５．２［μｓ］×２）＝６．６ｋＨｚ以下で制御すればよい。
【００２７】
また、本実施の形態では、帯域を約１／１０の約６００Ｈｚで記録パワーの制御を実現し、安定なパワー制御を実現している。これは、レーザの制御は、レーザの温度特性にかかわっており、電流変動によるパワー変動を抑えることを主たる目的にする。ここでは、温度変動によるパワー変動が少なく、１０００μｓあたり０．１ｍＷ程度であるため、６．６ｋＨｚの制御帯域にする必要がなく１／１０の６００Ｈｚ付近で制御することが可能となっている。
【００２８】
以上のように、本発明の実施の形態１のレーザパワー制御装置では、１つのマルチパルス発光区間において、マーク部のレーザパワーを複数検出して、それらの平均値をもとにレーザパワーを制御するように構成しているので、正確にレーザパワーを推定することができ、安定してマルチパルスのレーザパワーの制御を行うことができる。
【００２９】
ただし、レーザの温度特性等や、外乱ノイズ等の抑制を考えて制御帯域を考える必要があることは言うまでもない。また、検出のサンプリングは、少なくとも、マルチパルスの周期の半分以上の間隔と検出個数があることが望ましい。
【００３０】
また、本発明の実施の形態１において、タイミング生成手段から出力するタイミングの間隔を短くし、検出値を増やせば、さらに安定な検出値を得られることは言うまでもない。また検出するマーク部の数を増やせば、より、検出値が正確になることは言うまでもない。
【００３１】
（実施の形態２）
本発明の実施の形態２では、マーク部だけでなくスペース部におけるレーザ発光のより正確な制御を行うことを目的としている。図４は、本発明の実施の形態２におけるレーザパワー制御装置のブロック図であり、図４を用いて本発明の実施の形態２のレーザパワー制御装置の構成及び動作について説明する。ただし、図４において、図１と同じ番号の構成要素については説明を省略する。
【００３２】
２１は、マーク部検出設定手段８と同様に、スペース部弁別手段３から出力された記録データ列であるスペース部分の記録データ長のうち、所定の長さのスペース部を検出し、後述するタイミング生成手段２２で生成されるサンプルタイミングにしたがって、スペース部パワー検出信号処理手段２３でサンプルホールドする検出タイミング信号を出力するスペース部検出設定手段である。
【００３３】
２２は、マーク部パワー検出信号処理手段９がマーク部を検出してサンプルホールドを行うためのサンプルタイミングを生成し、さらにスペース部パワー検出信号処理手段２３がスペース部を検出してサンプルホールドを行うためのサンプルタイミングも生成するタイミング生成手段である。そして、タイミング生成手段２２は、このサンプルホールドを行うサンプルタイミングを任意に設定でき、サンプルタイミングを生成するとき、一定の周期で複数のサンプルタイミングを生成する。
【００３４】
２３は、レーザパワー検出手段１から出力される検出信号のうちスペース部の値を帯域制限フィルタ等により検出信号の特徴を抽出し、抽出した信号を保持するサンプルホールド回路等から実現され、検出した信号をスペース部検出設定手段２１により出力される検出タイミング信号に従って、１つのスペース部で複数回のサンプルホールドを行い、スペース部パワー検出信号として切換手段１０に出力するスペース部パワー検出信号処理手段である。
【００３５】
そして、切換手段１０から演算手段１１に、複数のスペース部パワー検出信号が出力されると、演算手段１１は、マーク部パワー検出信号を演算するのと同様に、受け取った複数のスペース部パワー検出信号の平均値を取り、その平均値を、ピックアップヘッドから出力される記録パルスのスペース部での記録パワーの推定値とし、演算手段１１により、記録パワーの推定値を目標の記録パワーに近づくように、レーザ駆動手段１３を動作させるレーザ駆動電流を制御している。また、演算手段１１で平均値を求めるのではなく、スペース部パワー検出信号処理手段２３で平均化した値をスペース部パワー検出信号として演算手段１１に出力するように構成しても良い。
【００３６】
以上のように、本発明の実施の形態２のレーザパワー制御装置において、マーク部のレーザパワーを検出して１つのマルチパルスのマーク部において複数のサンプリングを行いマーク部の記録パワーの制御を行い、スペース部のレーザパワーを検出して一つのスペース部において複数のサンプリングを行いスペース部の記録パワーの制御を行うように構成することで、正確にマーク部、スペース部でのレーザパワーを推定することができ安定してレーザパワーを制御することができる。つまり、本発明の実施の形態２のレーザパワー制御装置は、実施の形態１での効果に加え、記録パルス列のスペース部に発生する検出信号にもれこむ外乱等を抑える効果がさらに得られることにより、記録パワーの制御がさらに安定に制御できるものである。
【００３７】
また、記録パルス列のパワーは、図２の（ｂ）のように、記録パワーとスペースパワーの乖離が激しく、記録パワーの検出値には、スペースパワーの検出値が大きく影響を及ぼし、また、記録パルス列のボトムパワーはスペース部分のパワーとして検出され、マルチパルス列のＤＵＴＹがスペースパワー側への比重が大きくなれば、スペースパワーの影響が大きくなり、また、スペース部のパワーは、ＤＣレベルであるが、レーザパワー検出手段１の周波数特性により、マーク部の後のスペース部の検出信号幅が短くなる傾向にあり、スペースパワーの影響が大きくなるので、実施の形態２の構成にすることで、スペース部の外乱を平滑化させて、安定したスペースパワーの検出値を得ることができるので、これらの影響軽減できる。
【００３８】
また、また、記録中のスペース部のパワーの帯域の制御を、スペース部検出設定手段２１が検出タイミング信号を出力する周波数以下で行い、スペース部パワー検出信号から得た推定値の記録パワーをもとに、目標とするスペースパワーになるよう、演算手段１１からレーザ駆動手段１３に対してレーザ駆動電流を設定することで、安定な制御を実現できる。本発明の実施の形態２のレーザパワー制御装置は、実施の形態１と同様約６００Ｈｚで制御を実現し、安定なパワー制御を実現している。
【００３９】
ただし、レーザの温度特性等や、外乱ノイズ等の抑制を考えて制御帯域を考える必要は言うまでもない。また、検出のサンプリングは、少なくとも、マルチパルスの周期の半分以上の間隔と検出個数があることが望ましい。
【００４０】
また、本発明の実施の形態１において、タイミング生成手段から出力するタイミングの間隔を短くし、検出値を増やせば、さらに安定な検出値を得られることは言うまでもない。また検出するマーク部の数を増やせば、より、検出値が正確になることは言うまでもない。
【００４１】
（実施の形態３）
本発明の実施の形態３のレーザパワー制御装置は、安定したレーザパワーの制御を行うための、別の構成のレーザパワー制御装置である。図５は、本発明の実施の形態３におけるレーザパワー制御装置のブロック図である。
【００４２】
図５において、実施の形態２と同じ構成要素については説明を省略する。
【００４３】
３１は、図４のピックアップヘッド１４からディスクの記録再生時に得られる蛇行溝（ウォブル）等から抽出される記録クロック情報としての同期信号を出力するピックアップヘッドである。３２は、ピックアップヘッド３１から出力される同期信号に基づいて、記録クロックと同期したサンプルタイミングを出力するタイミング生成手段である。そして、タイミング生成手段３２は、マーク部検出設定手段８とスペース部検出設定手段４にそれぞれサンプルタイミングを出力する。
【００４４】
レーザパワー検出手段１から得られるマーク部のレーザパワーの検出信号は、マルチパルス発光となっており、このマルチパルス発光は、ピックアップヘッド１４によって得られた記録クロックに同期して出力されているので、図２（ｃ）に示すように、リップルが現れ、このリップルは記録クロックに同期している。よって、マーク部パワー検出信号処理手段でサンプリングするときに、マルチパルスの記録クロックに同期したタイミングでサンプリングを行うことで、演算手段１１の推定するレーザパワーの推定値が信頼できる値となることはいうまでもない。
【００４５】
以上のように、本発明の実施の形態３のレーザパワー制御装置において、タイミング生成手段３２がサンプルタイミングを生成するタイミングを、ピックアップヘッド３１が読み取った記録クロックと同期したタイミングにすることで、実施の形態１と同様に安定したレーザパワーの制御を行うことができる。また、スペース部のレーザパワーの制御も実施の形態２と同様の効果が期待できるのは明らかである。
【００４６】
また、ディスクから記録クロックを読み取り、マルチパルスの記録クロックに同期したタイミングでサンプリングを行っているので、記録倍速が変化や、ディスクの違いによって、記録するマルチパルスの間隔が変わっても、記録クロックに応じてサンプリングのタイミングも追従することができるので、設定が簡略化可能である。
【産業上の利用可能性】
【００４７】
本発明にかかるレーザパワー制御装置は、記録パワーを安定に出力することができることから、光ディスク記録に有用である。
【図面の簡単な説明】
【００４８】
【図１】本発明の実施の形態１によるレーザパワー制御装置のブロック図
【図２】同レーザパワー制御装置における各部の動作波形図
【図３】同レーザパワー制御装置における検出波形の拡大図
【図４】本発明の実施の形態２によるレーザパワー制御装置のブロック図
【図５】本発明の実施の形態３によるレーザパワー制御装置のブロック図
【符号の説明】
【００４９】
１    レーザパワー検出手段
２    記録データ生成手段
３    スペース部弁別手段
４、２１    スペース部検出設定手段
５、２３    スペース部パワー検出信号処理手段
６    マーク部弁別手段
７、２２、３２    タイミング生成手段
８    マーク部検出設定手段
９    マーク部パワー検出信号処理手段
１０    スイッチ
１１    演算手段
１２    発光パターン生成手段
１３    レーザ駆動手段
１４、３１    ピックアップヘッド
【図１】
2007052866.tif 000003
【図２】
2007052866.tif 000004
【図３】
2007052866.tif 000005
【図４】
2007052866.tif 000006
【図５】
2007052866.tif 000007